(57)【要約】      （修正有）【課題】光学補正処理に必要なデータを撮影前にレンズユニットから取得する撮像装置において、補正処理中に新しいレンズが装着されて補正データが更新されても最適な補正処理を行う撮像装置を提供する。【解決手段】レンズユニット１０１に保持されたレンズユニット固有の補正データを通信で撮像装置本体に受け取る撮像装置本体１００において、取得した補正データを用いて補正処理を行う補正処理部１０７を有する。補正処理中に新たにレンズユニットの装着があった場合、補正処理を停止し、新たなレンズユニットの補正データを所得する。新たにレンズユニット装着前の補正データは他の格納手段に退避させ、新たにレンズユニットによる撮像処理が完了した後で、他の格納手段から補正データを読み出し、該読み出した補正データを用いて補正処理を停止した撮像画像に対する補正処理を再実行する。【選択図】図１
2019047359.tif 000002
【特許請求の範囲】
【請求項１】
レンズユニットに保持されたレンズユニット固有の補正データを通信で撮像装置本体に受け取る撮像装置において、
撮像装置本体は撮像画像に対し、レンズユニットから取得した補正データを用いて補正処理を行う手段を有し、該補正処理中に新たにレンズユニットの撮像装置本体への装着があった場合、該補正処理を停止することを特徴とする撮像装置。
【請求項２】
補正処理を停止する際、該補正処理で使用した補正データを該補正データを格納している格納手段から他の格納手段へ退避する手段を有することを特徴とする請求項１に記載の撮像装置。
【請求項３】
レンズユニットから取得した該レンズユニット固有の補正データを格納する手段を有し、該格納手段は新たにレンズユニットの撮像装置本体への装着があった場合、格納している補正データ更新することを特徴とする請求項１又は２に記載の撮像装置。
【請求項４】
停止した補正処理を再開する際、他の格納手段へ退避している補正データをレンズユニット固有の補正データの格納手段にロードする手段を有すること特徴とする請求項１乃至３の何れか一項に記載の撮像装置。
【請求項５】
補正処理を停止する際、ＲＡＷファイルに対し補正処理を完了したか否かを判別できる情報、撮像時に使用したレンズユニットの固有識別子、およびレンズユニット固有の補正データの退避場所を判別できる情報を格納する手段を有すること特徴とする請求項１乃至４の何れか一項に記載の撮像装置。
【発明の詳細な説明】
【技術分野】
【０００１】
本発明は、撮像装置の制御方法に関し、特に、撮影した画像に対して補正処理を行う際に使用する補正データ取得方法の技術に関する。
【背景技術】
【０００２】
従来の撮像装置では撮影画像に対し、撮影レンズ固有の特性を補正する補正データはレンズ側に格納されている。撮像装置本体で使用する補正データ（例えば、色収差、歪曲補正データ等）は撮影レンズ装着の度にレンズ側から取得する。例えば、取得手段としてシリアル通信を用いて前記補正データを取得する。補正データを取得後、撮影者の指示（シャッターボタン操作）に従って撮影が開始され、撮影画像に対し、撮影レンズ固有の特性を補正する。
【０００３】
このように補正データを取得後、撮影動作を実行することにより、撮影した画像に対し、撮影レンズ固有の補正を施すことが可能となり、高画質の画像を撮像することができる。
【０００４】
撮影した画像に対し、撮影レンズ固有の特性を補正する補正データの取得方法については、例えば、撮影レンズに該撮影レンズ毎に異なるレンズ識別子を有し、撮像装置本体から撮影レンズから該レンズ識別子と補正データを通信手段を用いて受信し、格納手段に格納しておく。該格納手段に格納されているレンズ識別子と撮影レンズ装着後に通信手段を用いて受信したレンズ識別子とが一致しない場合、補正データを通信手段にて撮像装置側に受信する手法が提案されている（特許文献１）。
【０００５】
更に、撮影レンズの装着に伴って、当該装着された撮影レンズに保存されている補正データを取得し、該取得した補正データの情報に基づいて、撮影した画像に対して補正処理を実行する際、撮影レンズの装着があったときには、撮影レンズの装着がなかった場合には行わない制限（例えば、補正処理が完了するまで撮像を遅延させる）を前記処理実行時に行う手法が提案されている（特許文献２）。
【先行技術文献】
【特許文献】
【０００６】
【特許文献１】特開２０１０−２３７５１５号公報
【特許文献２】特開２０１４−１７７６９号公報
【発明の概要】
【発明が解決しようとする課題】
【０００７】
近年の撮像装置において、撮影レンズ固有の特性を補正する補正データ量は増大し、撮影レンズと撮像装置本体間の通信時間（撮像装置本体が撮影レンズから補正データを取得する時間）も長くなる傾向にある。その結果、補正データを取得後に実行される撮影処理が開始されるまでの時間も長くなる。すなわち、撮影者のシャッターボタン操作を受け付けるまでの時間が長くなる。
【０００８】
特許文献１のように撮影レンズの有するレンズ毎に異なるレンズ識別子と撮像装置本体に格納しているレンズ識別子が異なるときに撮影レンズと撮像装置本体間の通信制御を行う場合、通信手段から補正データを取得後、撮影者のシャッターボタン操作を受け付けるため、新規に撮影レンズを撮像装置本体に装着する度に膨大な補正データを撮影レンズから撮像装置本体に通信する必要があり、その結果、撮影者のシャッターボタン操作を受け付けるまでの時間が長くなってしまう。
【０００９】
撮影者のシャッターボタン操作を即座に受け付けるためには撮影レンズと撮像装置本体の通信を行わなければよい。そのためには撮影レンズから撮像装置本体に取得する補正データを格納する格納手段の容量を大きくすることで複数種類のレンズ固有の特性を補正する補正データを撮像装置本体に保持することができ、撮影レンズと撮像装置本体の通信を実行する必要はなくなる。
【００１０】
しかし、撮像装置本体に撮影レンズ複数種類分の補正データを格納可能な格納手段を確保しても、撮影レンズ交換を頻繁に行う場合、直ぐに該格納手段の容量が満たされてしまい、撮影レンズからの補正データを格納できなくなってしまう（格納手段数Ｎ以上の種類の撮影レンズ装着時、対応できない）。
【００１１】
また、特許文献２のように撮影レンズの装着に伴って、当該装着された撮影レンズに保存されている補正データを取得し、該取得した補正データの情報に基づいて、撮影した画像に対して補正処理を実行する際、撮影レンズの装着があったときには、撮影レンズの装着がなかった場合には行わない制限を前記処理手段による処理のときに行う、すなわち、補正処理が完了するまで撮像を遅延させるため、シャッターチャンスを逃してしまい、撮影者の意図したタイミングで撮像できない可能性がある。
【００１２】
そこで本発明の目的は、撮影レンズの装着に伴って、当該装着された撮影レンズに保存されている補正データを取得し、該取得した補正データの情報に基づいて、撮影した画像に対して補正処理を実行する際、撮影レンズの装着があったときには、該撮像レンズの装着に応じて、撮像画像に対する補正処理を適応的に制御することにより、撮像するタイミングを遅延させることなく、撮像画像に対し、最適な補正処理を実行することができる手法を提供することにある。
【課題を解決するための手段】
【００１３】
上記目的を達成するために、本発明の撮像装置の制御方法は、補正処理中に新たに撮像レンズの装着があった場合、補正処理を停止し、新たな撮像レンズの補正データを所得する。その際、補正処理が実行されなかった撮像画像は該撮像画像におけるメタデータ部に補正状態、撮像レンズ識別子を記録し、ＲＡＷ画像データを残しておく。
【００１４】
補正処理を施されなかった該ＲＡＷ画像データに対して、撮影後に最適な補正データに基づき、補正処理を行う。
【発明の効果】
【００１５】
本発明によれば、撮影レンズ固有の補正データを撮像装置本体に格納する際、撮像装置本体内で実行している撮影画像に対する補正処理を停止し、撮影後に補正処理を実行することにより、撮影レンズが新たに装着されたとしても撮像を優先させ、かつ適正な補正処理を実行できる。
【図面の簡単な説明】
【００１６】
【図１】本発明の実施形態に係る撮像装置の構成例を示すブロック図である。
【図２】本実施形態のＲＡＷファイルの構成例である。
【図３】本実施形態の撮像と補正処理を示す図である。
【図４】本実施形態の補正処理を停止した際の撮像と補正処理を示す図である。
【図５】本実施形態に係るフローチャートである。
【図６】その他の実施形態に係るフローチャートである。
【発明を実施するための形態】
【００１７】
以下、図面を参照しながら、本発明の実施の形態を詳細に説明する。図１は、本発明の実施形態に係る撮像装置の構成例を示すブロック図である。１００は撮像装置本体であり、被写体を撮像して得られた画像情報を記録媒体に記録するだけでなく、画像情報を記録媒体から再生し、現像、補正処理して表示する機能を有する。レンズユニット１０１から出力される画像情報を、生（未現像）の画像を意味するＲＡＷ画像と称す。
【００１８】
図２に示す撮像ファイル２００は、フォーマッタ１０３によって、ＤＤＲ（ＤＯＵＢＬＥ  ＤＡＴＡ  ＲＡＴＥ  ＳＤＲＡＭ）等のメモリ１０４、あるいは記録媒体１１０の所定の記録エリアに記録されている。撮像ファイル２００は、ヘッダ部２０１、メタデータ部２０２、圧縮データ部２０３から成る。ヘッダ部２０１には、このファイルが静止画、あるいは動画ファイルの形式であることを示す識別コードなどが含まれている。圧縮データ部２０３には、高能率符号化された画像の圧縮データが含まれている。
【００１９】
メタデータ部２０２には、この画像ファイルと同時に生成されたＲＡＷファイルのファイル名の情報２０４が含まれる。また、この画像ファイルが現像部１０５によって現像、補正処理されたことを示すステータスの情報２０５が含まれる。また、撮影時に用いたレンズ固有の識別子（レンズＩＤ）を含む撮影メタデータ２０６が含まれる。
【００２０】
操作部１０９は、ユーザーが撮像装置１００に対して指示を与えるために用いるキーやボタン、タッチパネルなどの入力デバイスを含む。表示部１１１は、撮像装置１００において、撮影、或いは再生された画像や、メニュー画面、各種情報等を表示するための液晶ディスプレイ（ＬＣＤ）等を含む。
【００２１】
制御部１０８はレンズユニット１０１が撮像装置本体１００に装着されたか否かを判断する。制御部１０８にてレンズユニット１０１が撮像装置本体１００に装着されたと判定した場合、レンズ通信部１０２はレンズユニット１０１からレンズユニット固有の識別子、および撮影した画像に対し、補正処理を施す際に使用する補正データを通信手段を用いて取得する。
【００２２】
レンズユニット１０１から取得した上記補正データ、およびレンズ識別子は補正データ格納手段１１２に格納される。その後、補正データは補正データ格納手段１１２から読み出され、補正処理部１０７にてレンズユニット１０１にて撮像され、ＤＤＲ（ＤＯＵＢＬＥ  ＤＡＴＡ  ＲＡＴＥ  ＳＤＲＡＭ）等のメモリ１０４に格納されている画像に対し、該補正データ格納手段１１２から読み出された補正データを用いて最適な補正処理が施される。例えば、画像の周辺部分の倍率色収差などを補正し、色にじみの無い画像に補正する。該補正処理を施された画像はＳＤカード等の記録媒体１１０に記録される。
【００２３】
レンズユニット１０１から補正データ、およびレンズ固有の識別子等を取得する手段としてシリアル通信で取得する。尚、該補正データ、およびレンズ固有の識別子を取得する手段はシリアル通信以外の手段でもよい。
【００２４】
上記のようにレンズユニット１０１から取得した補正データ、およびレンズ識別子の補正データ格納手段１１２への格納動作について説明する。取得した補正データ、およびレンズ識別子は補正データ格納手段１１２に格納される。レンズユニット１０１から取得したレンズ識別子と格納手段１１２に格納されているレンズ識別子をＩＤ／ステータス判定部１０６にて比較し、撮像装置本体１００に装着されているレンズユニット１０１から取得したレンズ識別子が補正データ格納手段１１２に格納されているレンズ識別子と一致しなかった場合、すなわち、撮像装置１００本体に装着されているレンズユニット１０１から取得したレンズ識別子が撮像装置１００の格納手段１１２になかった場合、レンズ識別子は補正データ格納手段１１２に格納される。
【００２５】
このとき、既に格納されているレンズ識別子に対し、上書きする。レンズ識別子を格納後、レンズユニット１０１から該レンズユニットを用いて撮影した画像に対して補正処理を行う際に使用する固有の補正データを取得する。このとき、既に格納されている固有の補正データに対し、上書きする。尚、該レンズ固有の補正データを取得する手段もレンズ識別子と同様にシリアル通信以外の手段でもよい。
【００２６】
また、レンズユニット１０１から取得したレンズ識別子が補正データ格納手段１１２に格納されているレンズ識別子と一致した場合、レンズユニット１０１から撮像装置本体１００に補正データを取得する必要はないので、レンズユニット１０１からのデータ取得処理を停止する。例えば、シリアル通信動作を停止する。
【００２７】
上記のような補正データ格納手段を有する撮像装置１００を用いて、例えば図３に示すように撮影枚数１０枚連写撮影を行った場合について詳細を説明する。図中の数字は連写枚数を表す。
【００２８】
ユーザーはレンズＡを用いて連写撮影する際、レンズユニット１０１（レンズＡ）を撮像装置本体１００に装着する。この際、制御部１０８にてレンズユニット１０１が撮像装置本体１００に装着されたと判定した場合、レンズ通信部１０２はレンズユニット１０１からレンズユニット固有の識別子、および撮影した画像に対し、補正処理を施す際に使用する補正データを通信手段を用いて取得する。レンズユニット１０１から取得した上記補正データ、およびレンズ識別子は補正データ格納手段１１２に格納される。
【００２９】
連写撮影時、１枚目の撮像画像「１」は補正データ格納手段１１２に格納されている補正データを用いて補正処理部１０７にて補正処理される。その後、補正処理を施された該画像はＳＤカード等の記録媒体１１０に記録される（図中（１））。引き続き、２枚目の撮像画像「２」、３枚目の撮像画像「３」に対しても同様に補正データ格納手段１１２に格納されている補正データを用いて補正処理部１０７にて補正処理され、順次、記録媒体１１０に記録される（図中（２）、（３））。
【００３０】
図３において、レンズＡを用いて行っている連写撮影後にユーザーが撮像装置本体１００に装着されている該レンズＡを取り外し、新たにレンズＢを撮像装置本体１００に装着し、引き続き、連写撮影を行ったとする。
【００３１】
制御部１０８にてレンズユニット１０１が撮像装置本体１００に装着されたと判定した場合、レンズ通信部１０２はレンズユニット１０１からレンズユニット固有の識別子、および撮影した画像に対し、補正処理を施す際に使用する補正データを通信手段を用いて取得する。レンズユニット１０１から取得した上記補正データ、およびレンズ識別子は補正データ格納手段１１２に格納される。この場合、補正データ格納手段１１２に格納されているレンズ識別子は「レンズＡ」に対する識別子であり、新たに撮像装置本体１００に装着された「レンズＢ」に対する識別子とは異なる。従って、補正データ格納手段１１２に格納されているレンズ識別子、および補正データは、新たに装着されたレンズＢから取得したレンズ識別子、および補正データに更新される。
【００３２】
補正データ格納手段１１２に格納されている補正データはレンズＢから取得した補正データに置換されている。この時点でレンズＡを用いて行った連写撮影画像に対する補正処理が完了していなかった場合、該未完了の補正処理はレンズＢから取得した補正データを用いて補正処理が施されることになる。その結果、最適な補正処理が行われず、画質劣化の原因となる。
【００３３】
すなわち、連写撮影画像「８」〜「１０」に対する補正処理（８）〜（１０）（図中、点線部）は「レンズＢ」から取得した補正データを用いて行われることになり、最適な補正処理が行われず、画質劣化の原因となる。
【００３４】
そこで、上記のようにレンズＡを用いた撮影後にユーザーが撮像装置本体１００に装着されている該レンズＡを取り外し、新たにレンズＢを撮像装置本体１００に装着し、引き続き、撮影を行った際、レンズＡを用いて行った撮影画像に対する補正処理が完了していなかった場合、補正処理部１０７の補正処理動作を停止させる。
【００３５】
そして、補正データ格納手段１１２に格納されているレンズ識別子、および補正データを例えば、ＳＤカード等の記録媒体１１０に退避させ、その後、補正データ格納手段１１２に格納されているレンズ識別子、および補正データを新たに装着されたレンズＢから取得したレンズ識別子、および補正データに更新する。
【００３６】
ここで、レンズ識別子、および補正データを退避させる際、ＳＤカード等の記録媒体１１０以外でもよく、撮像装置本体１００において空き容量が最も大きい記録手段（ＤＤＲを含む）を選択し、記録してもよい。
【００３７】
すなわち、図４に示すように補正処理を停止し、ユーザーからの撮像指示（レンズＢを用いた撮影）を優先する。
【００３８】
ここで図２に示す撮像ファイル２００におけるメタデータ部２０２の現像、補正処理されたことを示すステータスの情報２０５に「補正処理  未完了」であることを記録する。また、撮影メタデータ２０６に撮影時に用いたレンズ固有の識別子（この場合、レンズＡの識別子）、および補正データを退避させたことを識別する情報を記録する。
【００３９】
レンズＢを用いた撮影、および補正処理が完了した後、ＳＤカード等の記録媒体１１０に退避していたレンズＡの補正データを読み出し、補正処理部１０７にて補正処理を再開する。その後、補正処理を施された画像はＳＤカード等の記録媒体１１０に記録する。
【００４０】
再度補正処理を開始する際、ＳＤカード等の記録媒体１１０が交換された場合、退避した補正データを再読み込みできない。この場合、再補正処理は行わず、補正処理を完了し、外部の装置やサーバ（クラウド）等に送出する手段（不図示）から未補正の撮像画像を該外部の装置やサーバ（クラウド）等に送出し、該外部の装置を用いて後から補正処理を行ってもよい。
【００４１】
以上の処理に対するフローチャートを図５に示す。撮像装置本体１００の電源投入後（Ｓ５００）、制御部１０８にてレンズユニット１０１の装着状態を判定する（Ｓ５０１）。レンズユニット１０１が撮像装置本体１００に装着されたと判定された場合、レンズ通信部１０２は通信を開始し（Ｓ５０２）、レンズユニット１０１から該レンズユニット固有のレンズ識別子を取得する（Ｓ５０３）。取得したレンズ識別子と補正データ格納手段１１２に格納されているレンズ識別子をＩＤ／ステータス判定部１０６にて比較し（Ｓ５０４）、取得したレンズ識別子と補正データ格納手段１１２に格納されているレンズ識別子が一致した場合、レンズ通信部１０２は通信を停止し、補正処理を実行する（Ｓ５０８）。
【００４２】
取得したレンズ識別子と補正データ格納手段１１２に格納されているレンズ識別子をＩＤ判定部１０６にて比較し（Ｓ５０４）、取得したレンズ識別子と補正データ格納手段１１２に格納されているレンズ識別子が不一致の場合、補正処理の状態を判定する（Ｓ５０５）。
【００４３】
補正処理が完了していなかった場合、該補正処理を停止し、補正データ格納手段１１２に格納されている補正データを、例えばＳＤカード等の記録媒体１１０に退避させる（Ｓ５０６）。該補正処理が完了していた場合、補正データ格納手段１１２に格納されている補正データを更新する（Ｓ５０７）。補正データ更新後、該補正データを用いた補正処理が完了したか、否かを判定し（Ｓ５０８）、補正処理が完了していなかった場合、新たにレンズユニット１０１の装着の有無を判定する（Ｓ５０９）。
【００４４】
補正処理が完了していた場合、未補正の撮像画像の有無を判定し（Ｓ５１０）、未補正の撮像画像がない場合、撮像処理を完了する（Ｓ５１４）。未補正の撮像画像がある場合、ＳＤカード等の記録媒体１１０に退避させていた補正データを読み出し（Ｓ５１１）、補正データ格納手段１１２の補正データに格納する（Ｓ５１２）。その後、該補正データを用いて、未補正の撮像画像に対し、補正処理を施し（Ｓ５１３）、補正処理完了後、撮像処理を完了する（Ｓ５１４）。
【００４５】
このように未補正の撮像画像と該撮像画像取得時に使用したレンズユニット情報を関連付けし、記録手段に格納しておくことで、補正処理を中断し、レンズユニットが撮像装置本体に新たに装着されたとしても撮像を優先させることができ、かつ撮像画像に対し、適正な補正処理を実行できる。
【００４６】
（その他の実施形態）
本発明における他の実施の形態について図１、および図６を用いて説明する。撮像装置本体１００の電源投入後（Ｓ６００）、制御部１０８にてレンズユニット１０１の装着状態を判定する（Ｓ６０１）。レンズユニット１０１が撮像装置本体１００に装着されたと判定された場合、レンズ通信部１０２は通信を開始し（Ｓ６０２）、レンズユニット１０１から該レンズユニット固有のレンズ識別子を取得する（Ｓ６０３）。取得したレンズ識別子と補正データ格納手段１１２に格納されているレンズ識別子をＩＤ／ステータス判定部１０６にて比較し（Ｓ６０４）、取得したレンズ識別子と補正データ格納手段１１２に格納されているレンズ識別子が一致した場合、レンズ通信部１０２は通信を停止し、補正処理を実行する（Ｓ６０８）。
【００４７】
取得したレンズ識別子と補正データ格納手段１１２に格納されているレンズ識別子をＩＤ判定部１０６にて比較し（Ｓ６０４）、取得したレンズ識別子と補正データ格納手段１１２に格納されているレンズ識別子が不一致の場合、補正処理の状態を判定する（Ｓ６０５）。
【００４８】
補正処理が完了していなかった場合、該補正処理を停止し、補正データ格納手段１１２に格納されている補正データを、例えばＳＤカード等の記録媒体１１０に退避させる（Ｓ６０６）。該補正処理が完了していた場合、補正データ格納手段１１２に格納されている補正データを更新する（Ｓ６０７）。補正データ更新後、該補正データを用いた補正処理が完了したか、否かを判定し（Ｓ６０８）、補正処理が完了していなかった場合、新たにレンズユニット１０１の装着の有無を判定する（Ｓ６０９）。
【００４９】
補正処理が完了していた場合、未補正の撮像画像の有無を判定し（Ｓ６１０）、未補正の撮像画像がない場合、撮像処理を完了する（Ｓ６１４）。
【００５０】
未補正の撮像画像がある場合、該未補正の画像を取得する際に用いたレンズユニット１０１が撮像装置本体１００に装着された場合（Ｓ６１１）、該レンズユニット１０１から補正データを取得し、補正データ格納手段１１２に格納する（Ｓ６１２）。このとき、既に格納されている固有の補正データに対し、上書きする。
【００５１】
このとき、表示部１１１に該レンズユニット１０１の装着をユーザーに促す表示をさせてもよい。補正データ格納手段１１２に格納した補正データを用いて未補正の撮像画像に対し、補正処理を実行し（Ｓ６１３）、該補正処理が完了後に撮像処理を完了する（Ｓ６１４）。
【００５２】
このように未補正の撮像画像と該撮像画像取得時に使用したレンズユニット情報を関連付けし、記録手段に格納しておくことで、補正処理を中断し、レンズユニットが撮像装置本体に新たに装着されたとしても撮像を優先させることができ、かつ撮像画像に対し、適正な補正処理を実行できる。
【符号の説明】
【００５３】
１００：撮像装置本体
１０１：レンズユニット
１０２：レンズ通信部
１０３：フォーマッタ（圧縮／伸長部）
１０４：ＤＤＲ
１０５：現像部
１０６：ＩＤ／ステータス判定部
１０７：補正処理部
１０８：制御部
１０９：操作部
１１０：記録媒体
１１１：表示部
【図１】
2019047359.tif 000003
【図２】
2019047359.tif 000004
【図３】
2019047359.tif 000005
【図４】
2019047359.tif 000006
【図５】
2019047359.tif 000007
【図６】
2019047359.tif 000008